(57)【要約】【課題】  熱効率を向上させることができる過熱蒸気調理器を提供する。【解決手段】  本発明による加熱蒸気調理器は、物品を収容するように収容空間を形成する内部ケーシングと、前記内部ケーシングの外側に離隔配置された外部ケーシングとを有し、前記内部ケーシングと前記外部ケーシングとの間には真空断熱層が形成された加熱庫と；前記加熱庫内に供給するように過熱蒸気を発生する過熱蒸気発生器と；前記加熱庫に供給された蒸気を排出するように排気パイプを有する排気装置とを含む。【選択図】      図４
2006058002.tif 000002
【特許請求の範囲】
【請求項１】
過熱蒸気調理器において、
物品を収容するように収容空間を形成する内部ケーシングと、前記内部ケーシングの外側に離隔配置された外部ケーシングとを有し、前記内部ケーシングと前記外部ケーシングとの間には真空断熱層が形成された加熱庫と；
前記加熱庫内に供給するように過熱蒸気を発生する過熱蒸気発生器と；
前記加熱庫に供給された蒸気を排出するように排気パイプを有する排気装置とを含むことを特徴とする過熱蒸気調理器。
【請求項２】
前記加熱庫の真空断熱層には前記内部ケーシングに伝達された熱が前記外部ケーシングに輻射されるのを遮断するように輻射シールド部材が設けられたことを特徴とする請求項１に記載の過熱蒸気調理器。
【請求項３】
前記輻射シールド部材は相互離隔するように複数層で設けられることを特徴とする請求項２に記載の過熱蒸気調理器。
【請求項４】
前記排気パイプに排出される蒸気を前記過熱蒸気発生器に供給するように設けられた排気循環パイプと、前記排気パイプと前記排気循環パイプの間に設けられ前記排気パイプに排出される蒸気を選択的に外部に排出するか前記排気循環パイプに誘導するための流路選択部とを有する排気循環装置をさらに含むことを特徴とする請求項１に記載の過熱蒸気調理器。
【請求項５】
前記加熱庫内の温度を測定する庫内温度センサー及び前記排気パイプ内の温度を測定する排気温度センサーのうちの少なくとも一つをさらに含み、
前記庫内温度センサー及び前記排気温度センサーのうちの少なくとも一つから検出された信号に基づいて前記流路選択部及び前記加熱庫の温度のうちの少なくとも一つを制御する制御部をさらに含むことを特徴とする請求項４に記載の過熱蒸気調理器。
【請求項６】
前記過熱蒸気発生器は、過熱蒸気を発生するように内部空間を形成する発生器内部ケーシングと、前記発生器内部ケーシングとの間に発生器真空断熱層が形成されるように離隔配置された発生器外部ケーシングとを含むことを特徴とする請求項１に記載の過熱蒸気調理器。
【請求項７】
前記排気パイプ及び前記排気循環パイプは、前記加熱庫から排出された蒸気が通過する内部パイプと、前記内部パイプとの間にパイプ真空断熱層が形成されるように離隔配置された外部パイプとを含むことを特徴とする請求項６に記載の過熱蒸気調理器。
【請求項８】
前記過熱蒸気発生器の発生器真空断熱層には、前記発生器内部ケーシングに伝達された熱が前記発生器外部ケーシングに輻射されることを遮断するように少なくとも一つの発生器輻射シールド部材が設けられ、
前記排気パイプ及び前記排気循環パイプのパイプ真空断熱層には、前記内部パイプに伝達された熱が前記外部パイプに輻射されることを遮断するように少なくとも一つのパイプ輻射シールド部材が設けられることを特徴とする請求項７に記載の過熱蒸気調理器。
【請求項９】
前記排気装置は前記排気パイプと連結され前記排気パイプを通じて外部に排出される蒸気を冷却する排気熱交換部をさらに含むことを特徴とする請求項１に記載の過熱蒸気調理器。
【請求項１０】
前記排気装置、前記排気循環装置及び前記過熱蒸気発生器のうちの少なくとも一つには前記加熱庫から排出された蒸気をフィルタリングするための触媒材が設けられることを特徴とする請求項１に記載の過熱蒸気調理器。
【請求項１１】
前記加熱庫には加熱のための少なくとも一つのヒーターが設けられたことを特徴とする請求項１に記載の過熱蒸気調理器。
【請求項１２】
前記加熱庫の内部ケーシングには前記過熱蒸気発生器によって供給された蒸気を分散させる蒸気カバーが備えられたことを特徴とする請求項１に記載の過熱蒸気調理器。
【発明の詳細な説明】
【技術分野】
【０００１】
本発明は過熱蒸気調理器に係わり、より詳しくは、熱効率を向上させることができる過熱蒸気調理器に関する。
【背景技術】
【０００２】
一般に、過熱蒸気調理器は過熱蒸気を利用して食品を調理する装置であって、熱伝導能力が優れており、焼き、蒸し及び解凍など多様な方法で調理することができる。そして、このような過熱蒸気オーブンは調理実内でほとんど無酸素状態で調理されるため酸化が起こらず調理された食品の味が優れるという長所がある。
【０００３】
このような従来の過熱蒸気を使用した調理器は下記特許文献１の過熱蒸気調理器に開示されている。このような従来の過熱蒸気調理器は、加熱庫と、加熱庫に食品を収容するために設けられた開口部を開閉するドアと、加熱庫の壁を加熱するための加熱手段と、加熱庫内部の温度を測定するための加熱庫温度測定手段と、加熱庫内の温度を表示するための庫内温度表示手段と、加熱庫の壁の温度を測定するための加熱庫壁温度測定手段と、過熱蒸気を発生して加熱庫に注入するための過熱蒸気発生手段と、過熱蒸気発生手段を制御するための調理制御手段と、過熱蒸気発生手段に水を供給するための水タンクとを含む。
【０００４】
過熱蒸気発生手段は、水及び蒸気を加熱するための加熱手段と、加熱手段を駆動するためのインバータ回路と、加熱手段の水の流量を制御するための流量制御手段と、加熱手段の電力を制御するための電力制御手段と、発生した蒸気の温度を測定するための過熱蒸気温度測定手段とを含む。
【０００５】
このような構成によって、従来の過熱蒸気調理器は過熱蒸気を利用して水分の蒸発無しに食品を加熱調理することにより調理された食品の味が優れ、特に家庭用調理器として使用が便利であり得る。
【特許文献１】日本公開特許公報第２０００−１８４９６４号
【発明の開示】
【発明が解決しようとする課題】
【０００６】
しかし、このような従来の過熱蒸気調理器において、熱効率を向上させることができる手段を設ければさらに好ましい。
【０００７】
したがって、本発明の目的は、熱効率を向上させることができる過熱蒸気調理器を提供することにある。
【課題を解決するための手段】
【０００８】
前記目的は、本発明によって、過熱蒸気調理器において、物品を収容するように収容空間を形成する内部ケーシングと、前記内部ケーシングの外側に離隔配置された外部ケーシングとを有し、前記内部ケーシングと前記外部ケーシングとの間には真空断熱層が形成された加熱庫と；前記加熱庫内に供給するように過熱蒸気を発生する過熱蒸気発生器と；前記加熱庫に供給された蒸気を排出するように排気パイプを有する排気装置とを含むことを特徴とする過熱蒸気調理器によって達成される。
【０００９】
ここで、前記加熱庫の真空断熱層には前記内部ケーシングに伝達された熱が前記外部ケーシングに輻射されることを遮断するように輻射シールド部材が設けられることができる。
【００１０】
前記輻射シールド部材は相互離隔するように複数層で設けられることができる。
【００１１】
前記排気パイプに排出される蒸気を前記過熱蒸気発生器に供給するように設けられた排気循環パイプと、前記排気パイプと前記排気循環パイプの間に設けられ前記排気パイプに排出される蒸気を選択的に外部に排出するか前記排気循環パイプに誘導するための流路選択部とを有する排気循環装置をさらに含むことができる。
【００１２】
前記加熱庫内の温度を測定する庫内温度センサー及び前記排気パイプ内の温度を測定する排気温度センサーのうちの少なくとも一つをさらに含み、前記庫内温度センサー及び前記排気温度センサーのうちの少なくとも一つから検出された信号に基づいて前記流路選択部及び前記加熱庫の温度のうちの少なくとも一つを制御する制御部をさらに含むことができる。
【００１３】
前記過熱蒸気発生器は、過熱蒸気を発生するように内部空間を形成する発生器内部ケーシングと、前記発生器内部ケーシングとの間に発生器真空断熱層が形成されるように離隔配置された発生器外部ケーシングとを含むことができる。
【００１４】
前記排気パイプ及び前記排気循環パイプは、前記加熱庫から排出された蒸気が通過する内部パイプと、前記内部パイプとの間にパイプ真空断熱層が形成されるように離隔配置された外部パイプとを含むことができる。
【００１５】
前記過熱蒸気発生器の発生器真空断熱層には、前記発生器内部ケーシングに伝達された熱が前記発生器外部ケーシングに輻射されることを遮断するように少なくとも一つの発生器輻射シールド部材が設けられ、前記排気パイプ及び前記排気循環パイプのパイプ真空断熱層には、前記内部パイプに伝達された熱が前記外部パイプに輻射されることを遮断するように少なくとも一つのパイプ輻射シールド部材が設けられることができる。
【００１６】
前記排気装置は前記排気パイプと連結され前記排気パイプを通じて外部に排出される蒸気を冷却する排気熱交換部をさらに含むことができる。
【００１７】
前記排気装置、前記排気循環装置及び前記過熱蒸気発生器のうちの少なくとも一つには前記加熱庫から排出された蒸気をフィルタリングするための触媒材が設けられることができる。
【００１８】
前記加熱庫には加熱のための少なくとも一つのヒーターが設けられることができる。
【００１９】
前記加熱庫の内部ケーシングには前記過熱蒸気発生器によって供給された蒸気を分散させる蒸気カバーが設けられることができる。
【発明の効果】
【００２０】
本発明による過熱蒸気調理器は加熱庫の内部ケーシングと外部ケーシングとの間に真空断熱層を形成することにより内部ケーシングから外部ケーシングに熱が伝達されることを抑制して熱効率を向上させることができ、真空断熱層に輻射シールド部材を設けることにより内部ケーシングから外部ケーシングに輻射現象によって熱が伝達されることを防止して熱効率をさらに向上させることができる。
【００２１】
そして、本発明による過熱蒸気調理器は過熱蒸気発生器の発生器内部ケーシングと発生器外部ケーシングとの間に発生器真空断熱層を形成することにより熱が伝達されることを抑制して熱効率を向上させることができ、発生器真空断熱層に発生器輻射シールド部材を設けることにより発生器内部ケーシングから発生器外部ケーシングに輻射現象によって熱が伝達されることを防止して熱効率をさらに向上させることができる。
【００２２】
そして、本発明による過熱蒸気調理器は排気パイプ及び排気循環パイプの内部パイプと外部パイプとの間にパイプ真空断熱層を形成することにより熱が伝達されることを抑制して熱効率を向上させることができ、パイプ真空断熱層にパイプ輻射シールド部材を設けることにより内部パイプにから外部パイプに輻射現象によって熱が伝達されることを防止して熱効率をさらに向上させることができる。
【００２３】
そして、本発明による過熱蒸気調理器は排気循環装置を設け排出される蒸気を再び過熱蒸気発生器に流入させてリサイクルすることによってエネルギー効率を向上させることができる。
【００２４】
また、本発明による過熱蒸気調理器は触媒材を設け加熱庫から排出される蒸気をフィルタリングすることができる。
【発明を実施するための最良の形態】
【００２５】
以下、図面を参照して本発明を詳細に説明する。
【００２６】
図１乃至図３に示されているように、本発明による過熱蒸気調理器１は食品のような物品を収容するように収容空間を形成する加熱庫３１と、加熱庫３１内に供給するように過熱蒸気を発生する過熱蒸気発生器５０と、加熱庫３１に供給された蒸気を排出するように排気パイプ６１を有する排気装置６０とを含む。過熱蒸気調理器１は排気パイプ６１から排出される蒸気を過熱蒸気発生器５０に供給する排気循環装置７０と、加熱庫３１及び過熱蒸気発生器５０と排気装置６０及び排気循環装置７０などが装着された調理器本体１０とをさらに含む。過熱蒸気調理器１は排気装置６０と排気循環装置７０及び過熱蒸気発生器５０のうちの少なくとも一つに設けられ加熱庫３１から排出された蒸気をフィルタリングするための触媒材８０をさらに含む。過熱蒸気調理器１は加熱庫３１内の温度を測定する庫内温度センサー４７及び排気パイプ６１内の温度を測定する排気温度センサー（図示せず）のうちの少なくとも一つをさらに含み、庫内温度センサー４７及び排気温度センサー（図示せず）のうちの少なくとも一つから検出された信号に基づいて後述の排気循環装置７０の流路選択部７３及び加熱庫３１の温度のうちの少なくとも一つを制御する制御部（図示せず）をさらに含むことができる。
【００２７】
調理器本体１０は加熱庫３１の上側と側面及び後方をカバーするように設けられた本体カバー１１と、加熱庫３１の前方に設けられた前方フレーム１３と、加熱庫３１の下側に設けられ加熱庫３１などを支持するベースフレーム１２と、前方フレーム１３の前方上側に設けられ過熱蒸気調理器１を制御する操作パネル２１とを含む。そして、調理器本体１０の前方には後述の前方フレーム１３のドア開口部１４を開閉するドア５が設けられる。
【００２８】
前方フレーム１３には、加熱庫３１に物品を収容するように設けられたドア開口部１４と、ドア５がドア開口部１４を閉鎖する時にドア５と気密を維持して密着されるようにゴム材質あるいは樹脂材質で製作されてドア開口部１４に装着されたドアシールド部材１５とが設けられる。前方フレーム１３には、加熱庫３１内の蒸気を排出するように加熱庫３１と連通可能に貫通された加熱庫排気口１７と、排気パイプ６１と連通するように貫通された排気パイプ連結口１８と、加熱庫排気口１７及び排気パイプ連結口１８に結合され加熱庫排気口１７から排出された蒸気を排気パイプ連結口１８に案内する排気ダクト１９とが設けられる。前方フレーム１３には後述の加熱庫３１の内部ケーシング３２内の温度を測定するように庫内温度センサー４７が装着される。ドア５の下側には前方フレーム１３の下部領域が露出されることを防止するように下部カバー２３が設けられる。
【００２９】
排気ダクト１９は前方フレーム１３に着脱可能にスクリュー１６などで結合され、加熱庫排気口１７から排出された蒸気を排気パイプ連結口１８に案内する。
【００３０】
操作パネル２１には、過熱蒸気調理器１をオン／オフするための電源ボタンのような複数のボタン２２と、過熱蒸気発生器５０に水を供給するための水注入部２５とが設けられる。
【００３１】
水注入部２５は操作パネル２１で前後方向に回動して開閉可能に設けられ、後述の過熱蒸気発生器５０の水吸入部５３及び水供給パイプ２６に連結される。これによって、水注入部２５を前方に回動させて開放した後、水を供給すると水供給パイプ２６を通じて過熱蒸気発生器５０に水を供給することができる。
【００３２】
加熱庫３１は物品を収容するように収容空間を形成する内部ケーシング３２と、内部ケーシング３２の外側に離隔配置された外部ケーシング３３とを有し、内部ケーシング３２と外部ケーシングとの間には真空断熱層３４が形成される。加熱庫３１は円筒形状に設けられ、飲食物のような物品が載せられたトレイ（図示せず）を収容するために前方に開口された加熱庫開口部３６と、前方フレーム１３と気密を維持して密着されるようにゴム材質あるいは樹脂材質で製作され加熱庫開口部３６に装着された加熱庫シールド部材３７と、外部ケーシング３３に外側及び前方フレーム１３に結合され加熱庫３１を前方フレーム１３に対して結合するように支持する支持フレーム３８とを含む。加熱庫３１には加熱庫３１を所定の温度に加熱するためのヒーター４１が装着される。
【００３３】
内部ケーシング３２の内側にはトレイ（図示せず）のような容器を装着できるように多段に形成されたワイヤーラック３９が設けられる。ワイヤーラック３９は内部ケーシング３２の左右側に各々一対で設けられる。内部ケーシング３２には後述の過熱蒸気発生器５０の蒸気排出部５２から排出された蒸気が直ちに物品に接触することを防止するように蒸気を分散させる蒸気カバー４５が設けられる。
【００３４】
蒸気カバー４５は内部ケーシング３２の後方領域に設けられた後述の過熱蒸気発生器５０の蒸気排出部５２に対応して蒸気排出方向の横方向に離隔して設置される。蒸気カバー４５は内部ケーシング３２の内側後方領域にスクリュー４６などにより結合されることができる。これによって、蒸気排出部５２から排出された蒸気が先ず蒸気カバー４５にぶつかるようになるので、排出された蒸気が直接物品に接触し蒸気排出部５２に近接した物品が加熱されすぎることを防止し、蒸気カバー４５にぶつかった蒸気が蒸気カバー４５の両側あるいは下側などにまわって加熱庫３１内部の全体に分散され加熱庫３１に収容された物品を均一に加熱する。
【００３５】
加熱庫シールド部材３７は内部ケーシング３２及び外部ケーシング３３の間の空間がほとんど真空状態を維持するように内部ケーシング３２及び外部ケーシング３３の前方端部に気密に結合される。そして、内部ケーシング３２及び外部ケーシング３３は耐熱性の強い金属材質で設けられることができる。従って、真空断熱層３４によって内部ケーシング３２から外部ケーシング３３に伝導及び対流現象によって熱が伝達されることを抑制して熱効率を向上させることができる。
【００３６】
真空断熱層３４には内部ケーシング３２に伝達された熱が外部ケーシング３３に輻射されることを遮断するように輻射シールド部材３５が設けられることができる。
【００３７】
図４に示されているように、輻射シールド部材３５は内部ケーシング３２及び外部ケーシング３３の間に内部及び外部ケーシング３２、３３の板面に対してほとんど平行に配置され、相互離隔するように複数層で設けられることができる。複数層の輻射シールド部材３５は内部ケーシング３２及び外部ケーシング３３の板面に横方向に結合された支持台（図示せず）によって支持され相互離隔するように装着されることができる。しかし、輻射シールド部材３５は一側が内部ケーシング３２及び外部ケーシング３３のうちの少なくとも一つに結合され真空断熱層３４に配置されることもできる。輻射シールド部材３５は内部ケーシング３２から輻射された熱を内部ケーシング３２方向に反射するようにアルミニウムのような金属材質で設けられることができる。しかし、輻射シールド部材３５は内部ケーシング３２から輻射された熱を内部ケーシング３２方向に反射するように非金属材質で設けられることもできる。従って、真空断熱層３４に輻射シールド部材３５を設けることにより、内部ケーシング３２から外部ケーシング３３に伝導及び対流現象だけでなく輻射現象によって熱が伝達されることを防止して熱効率をさらに向上させることができる。
【００３８】
ヒーター４１は加熱庫３１を所定の温度で加熱し、加熱庫３１内に供給された蒸気が結露されることを防止するなどの役割を果たす。ヒーター４１は一対で設けられ内部ケーシング３２の上側及び下側に配置される。ヒーター４１は前方フレーム１３によって支持結合され内部ケーシング３２に配置される。ヒーター４１はパイプ形状に長く設けられたシースヒーター、あるいは他の種類のヒーターを使用することもできる。
【００３９】
過熱蒸気発生器５０は過熱蒸気を発生する発生器本体５１と、発生器本体５１を調理器本体１０のベースフレーム１２に結合させる発生器支持台５８と、発生器本体５１及び加熱庫３１と連結され過熱蒸気を加熱庫３１に排出する蒸気排出部５２と、後述の排気循環装置７０の排気循環パイプ７１と連結され排気を吸入する排気吸入部５３と、水注入部２５及び水供給パイプ２６に連結され水を吸入する水吸入部５３とを含む。
【００４０】
発生器本体５１には水吸入部５３から吸入された水を加熱して蒸気を発生する第１加熱部（図示せず）と、第１加熱部（図示せず）によって発生した蒸気を加熱して過熱蒸気を発生する第２加熱部（図示せず）とが設けられる。発生器本体５１には第１及び第２加熱部（図示せず）などを収容して過熱蒸気を発生するように内部空間を形成する発生器内部ケーシング５５と、発生器内部ケーシング５５との間に発生器真空断熱層５６が形成されるように離隔配置された発生器外部ケーシング５７とがさらに設けられる。発生器内部ケーシング５５及び発生器外部ケーシング５７は円筒形状に設けられるが、四角筒または他の多角形筒形状に設けられることもできる。従って、発生器真空断熱層５６によって、発生器内部ケーシング５５から発生器外部ケーシング５７に伝導及び対流現象によって熱が伝達されることを抑制して過熱蒸気発生器５０の熱効率を向上させることができる。
【００４１】
発生器真空断熱層５６には、発生器内部ケーシング５５に伝達された熱が発生器外部ケーシング５７に輻射されることを遮断するように発生器輻射シールド部材５９が設けられることができる。
【００４２】
図５に示されているように、発生器輻射シールド部材５９は発生器内部ケーシング５５及び発生器外部ケーシング５７の間に発生器内部ケーシング５５及び発生器外部ケーシング５７とほとんど平行に配置され、放射方向に相互離隔するように複数層で設けられることができる。発生器輻射シールド部材５９の装着及び材質については前述の輻射シールド部材３５と類似しているので詳細な説明は省略する。しかし、過熱蒸気発生器５０の温度条件が加熱庫３１の温度条件と異なることがあるので、発生器真空断熱層５６は加熱庫３１の真空断熱層３４と異なる程度の真空圧で設けられることができ、発生器輻射シールド部材５９は加熱庫３１の輻射シールド部材３５と異なる種類の材質で設けられることができる。このように、発生器真空断熱層５６に発生器輻射シールド部材５９を設けることによって、発生器内部ケーシング５５から発生器外部ケーシング５７に伝導及び対流現象だけでなく輻射現象によって熱が伝達されることを防止して熱効率をさらに向上させることができる。
【００４３】
排気装置６０は加熱庫３１から排出される蒸気を外部に排出する。排気装置６０は排気パイプ６１と、排気パイプ６１から排出される蒸気を外部に案内する外部ダクト６２とを含む。排気装置６０は排気パイプ６１と連結され排気パイプ６１を通じて外部に排出される蒸気を冷却する排気熱交換部６３をさらに含むことができる。
【００４４】
排気熱交換部６３は排気パイプ６１と外部ダクト６２との間に設けられ排気パイプ６１を通じて外部に排出される高温の蒸気を冷却させて外部に放出するようにする。排気熱交換部６３は図１乃至図３に示されているように、本体カバー１１の外側に露出されるように設けられることができるが、本体カバー１１の内側に収容されるように設けられることもできる。このように、排気熱交換部６３を通じて排出される蒸気によって外部ダクト６２の表面温度が増加することを防止することができる。
【００４５】
排気パイプ６１はその一側が前方フレーム１３の排気パイプ連結口１８に結合され、他側が排気熱交換部６３に対して連結される。排気パイプ６１と排気熱交換部６３との間には後述の排気循環装置７０の流路選択部７３が設けられる。排気パイプ６１は加熱庫３１から排出された蒸気が通過する内部パイプ６５と、内部パイプ６５の外側に設けられ内部パイプ６５との間にパイプ真空断熱層６６が形成されるように離隔配置された外部パイプ６７とを含む。内部パイプ６５及び外部パイプ６７は円形断面を有するように設けられるが、四角断面または他の多角形断面を有するように設けられることもできる。排気パイプ６１には排気パイプ６１を通過する蒸気の温度を測定する排気温度センサー（図示せず）が設けられることができる。従って、パイプ真空断熱層６６によって内部パイプ６５から外部パイプ６７に伝導及び対流現象によって熱が伝達されることを抑制して排気パイプ６１の熱効率を向上させることができる。
【００４６】
パイプ真空断熱層６６には蒸気から内部パイプ６５に伝達された熱が外部パイプ６７に輻射されることを遮断するように少なくとも一つのパイプ輻射シールド部材６９が設けられることができる。
【００４７】
図６に示されているように、パイプ輻射シールド部材６９は内部パイプ６５及び外部パイプ６７の間に内部パイプ６５及び外部パイプ６７の円周方向に配置され、放射方向に相互離隔するように複数層で設けられることができる。パイプ輻射シールド部材６９の装着及び材質については前述の輻射シールド部材３５と類似しているので詳細な説明は省略する。このように、パイプ真空断熱層６６にパイプ輻射シールド部材６９を設けることにより、内部パイプ６５から外部パイプ６７に伝導及び対流現象だけでなく輻射現象によって熱が伝達されることを防止して熱効率をさらに向上させることができる。
【００４８】
排気循環装置７０は排気パイプ６１に排出される蒸気を過熱蒸気発生器５０に供給するように設けられた排気循環パイプ７１と、排気パイプ６１と排気循環パイプ７１との間に設けられ排気パイプ６１に排出される蒸気を選択的に外部に排出するか排気循環パイプ７１に誘導するための流路選択部７３とを含む。
【００４９】
流路選択部７３は排気パイプ６１と排気循環パイプ７１及び排気熱交換部６３の間に設けられ選択的に排気パイプ６１から排出された蒸気を排気循環パイプ７１及び排気熱交換部６３のうちの少なくとも一つに排出する。流路選択部７３はバルブタイプに設けられ制御部（図示せず）によって制御されることもでき、使用者によって制御されることもできる。
【００５０】
排気循環パイプ７１は一側が流路選択部７３に結合され、他側が過熱蒸気発生器５０の排気吸入部５３に対して連結される。排気循環パイプ７１は排気パイプ６１のような構成で設けられる。つまり、排気パイプ６１から排出された蒸気が通過する内部パイプ６５と、内部パイプ６５の外側に設けられ内部パイプ６５との間にパイプ真空断熱層６６が形成されるように離隔配置された外部パイプ６７とを含む。従って、パイプ真空断熱層６６によって、内部パイプ６５から外部パイプ６７に伝導及び対流現象によって熱が伝達されることを抑制して排気パイプ６１の熱効率を向上させることができる。
【００５１】
パイプ真空断熱層６６には図６の排気パイプ６１のように、蒸気から内部パイプ６５に伝達された熱が外部パイプ６７に輻射されることを遮断するように少なくとも一つのパイプ輻射シールド部材６９が設けられることができる。このように、パイプ真空断熱層６６にパイプ輻射シールド部材６９を設けることによって、内部パイプ６５から外部パイプ６７に伝導及び対流現象だけでなく輻射現象によって熱が伝達されることを防止して熱効率をさらに向上させることができる。
【００５２】
触媒材８０は加熱庫３１から排出される蒸気に含まれた油やホコリ及び悪臭などをフィルタリングするように蒸気の排出経路に配置される。触媒材８０は排気ダクト１９の内側に収容され排気ダクト１９を通過する蒸気をフィルタリングし、排気ダクト１９を前方フレーム１３から分解して交換することが可能である。しかし、触媒材８０は加熱庫３１から排出される蒸気をフィルタリングすることができるように排気パイプ６１や加熱庫排気口１７などに設けられることもできる。そして、触媒材８０は過熱蒸気発生器５０の蒸気排出部５２などにも設けられ加熱庫３１内に供給される蒸気をフィルタリングすることもできる。
【００５３】
制御部（図示せず）は庫内温度センサー４７及び排気温度センサー（図示せず）から検出された信号に基づいて流路選択部７３及び加熱庫３１の温度を制御することができる。例えば、制御部（図示せず）は庫内温度センサー４７から検出された信号に基づいてヒーター４１及び過熱蒸気発生器５０のうちの少なくとも一つを作動することによって、加熱庫３１内の温度を一定の温度範囲に維持することができる。また、制御部（図示せず）は排気温度センサー（図示せず）から検出された温度が所定温度以上であれば排気パイプ６１を通過する蒸気が排気循環パイプ７１に移動するように流路選択部７３を制御し、排気温度センサー（図示せず）から検出された温度が所定温度以下であれば排気パイプ６１を通過する蒸気が排気熱交換部６３に移動するように流路選択部７３を制御することができる。
【００５４】
このような構成によって、本発明による過熱蒸気調理器１の作動過程を見てみると次の通りである。
【００５５】
まず、加熱庫３１内部に調理しようとする食品を収容し、過熱蒸気調理器１に電源を印加する。そうすると、ヒーター４１が加熱され加熱庫３１の温度を上昇させ、過熱蒸気発生器５０から過熱蒸気が発生して加熱庫３１に流入される。そうすると、過熱蒸気によって食品が調理される。そして、加熱庫３１内の蒸気は流路選択部７３によって排気パイプ６１を通じて排気熱交換部６３に排出されるか、排気循環パイプ７１を通じて再び過熱蒸気発生器５０に流入されてリサイクルすることができる。
【図面の簡単な説明】
【００５６】
【図１】本発明による過熱蒸気調理器の斜視図である。
【図２】本発明による過熱蒸気調理器の概略的な分解斜視図である。
【図３】本発明による過熱蒸気調理器の概略的な縦断面図である。
【図４】本発明による過熱蒸気調理器の加熱庫のIV−IV断面図である。
【図５】本発明による過熱蒸気調理器の過熱蒸気発生器のV−V断面図である。
【図６】本発明による過熱蒸気調理器の排気パイプ及び排気循環パイプのVI−VI断面図である。
【符号の説明】
【００５７】
１    加熱蒸気調理器
５    ドア
１０  調理器本体
１１  本体カバー
１２  ベースフレーム
１３  前方フレーム
１４  ドア開口部
１５  ドアシールド部材
１６  スクリュー
１７  加熱庫排気口
１８  排気パイプ連結口
１９  排気ダクト
２１  操作パネル
２２  ボタン
２３  下部カバー
２５  水注入部
２６  水供給パイプ
３１  加熱庫
３２  内部ケーシング
３３  外部ケーシング
３４  真空断熱層
３５  輻射シールド部材
３６  加熱庫開口部
３７  加熱庫シールド部材
３８  支持フレーム
３９  ワイヤーラック
４１  ヒーター
４５  蒸気カバー
４７  庫内温度センサー
５０  加熱蒸気発生器
５１  発生器本体
５２  蒸気排出部
５３  水吸入部
５５  発生器内部ケーシング
５６  発生器真空断熱層
５７  発生器外部ケーシング
５９  発生器輻射シールド部材
６０  排気装置
６１  排気パイプ
６２  外部ダクト
６３  排気熱交換部
６５  内部パイプ
６６  パイプ真空断熱層
６７  外部パイプ
６９  パイプ輻射シールド部材
７０  排気循環装置
７１  排気循環パイプ
７３  流路選択部
８０  触媒材
【図１】
2006058002.tif 000003
【図２】
2006058002.tif 000004
【図３】
2006058002.tif 000005
【図４】
2006058002.tif 000006
【図５】
2006058002.tif 000007
【図６】
2006058002.tif 000008